(57)【特許請求の範囲】
【請求項１】
携帯機器を支持するスタンドであって、
前記携帯機器の底面が載置される載置部と、
前記載置部から前記携帯機器の両側面の外形形状に沿って互いに対向するように起立し、かつ、当該両側面を挟持する一対の腕部とを有する筐体を備え、
前記各腕部は、当該腕部から他方の腕部に向かって延出して、前記携帯機器の底面及び前記両側面にそれぞれ交差する第１面及び第２面の一部を挟持する一対の挟持部を備え、
前記一対の挟持部のうちの少なくとも一方の挟持部は、前記載置部に近接する方向に向かうに従って、延出量が大きくなり、
前記筐体は、
当該筐体から突出して、前記載置部に載置された前記携帯機器を押し上げる突出部材と、
前記突出部材を突出させる操作部材とを備えることを特徴とするスタンド。
【請求項２】
携帯機器を支持するスタンドであって、
前記携帯機器の底面が載置される載置部と、
前記載置部から前記携帯機器の両側面の外形形状に沿って互いに対向するように起立し、かつ、当該両側面を挟持する一対の腕部とを有する筐体を備え、
前記各腕部は、当該腕部から他方の腕部に向かって延出して、前記携帯機器の底面及び前記両側面にそれぞれ交差する第１面及び第２面の一部を挟持する一対の挟持部を備え、
前記一対の挟持部のうちの少なくとも一方の挟持部は、前記載置部に近接する方向に向かうに従って、延出量が大きくなり、
前記筐体は、当該筐体の２面に跨るように内側に凹む凹部を有し、
前記凹部を形成し、かつ、互いに対向する一対の側部には、所定のケーブルが接続される端子がそれぞれ設けられていることを特徴とするスタンド。
【請求項３】
請求項２に記載のスタンドにおいて、
前記筐体は、
当該筐体から突出して、前記載置部に載置された前記携帯機器を押し上げる突出部材と、
前記突出部材を突出させる操作部材とを備えることを特徴とするスタンド。
【請求項４】
請求項１又は請求項３に記載のスタンドにおいて、
前記筐体は、
当該筐体における前記携帯機器の前記底面に対向する第１の面と、当該第１の面に交差する第２の面とに跨って形成された開口を有し、
前記操作部材は、
前記突出部材に当接する当接部を有し、かつ、回動動作に応じて前記突出部材を前記筐体から突出させるレバー部材と、
前記レバー部材を回動自在に支持する支持部材とを備え、
前記レバー部材は、
前記開口内にて前記第１の面に沿うように配置され、かつ、当該レバー部材を回動させる操作部と、
前記開口内にて前記第２の面に沿うように配置されるとともに、当該レバー部材に回動自在に支持され、前記操作部とともに前記開口を閉塞する板状体とを備え、
前記支持部材は、
前記設置面及び前記第２の面に傾斜し、かつ、前記レバー部材の回動に伴って、前記板状体を前記筐体内にガイドするガイド部を備えることを特徴とするスタンド。
【請求項５】
請求項４に記載のスタンドにおいて、
前記当接部は、前記突出部材に対向する方向に膨出するように、略円弧状に形成されていることを特徴とするスタンド。
【請求項６】
請求項１、請求項３から請求項５のいずれかに記載のスタンドにおいて、
前記載置部には、当該載置部への前記携帯機器の載置方向に対向する方向に突出し、前記携帯機器に挿入されて当該携帯機器を係止するピン状の係止部材が設けられていることを特徴とするスタンド。
【請求項７】
請求項６に記載のスタンドにおいて、
前記係止部材は、前記各腕部近傍に、それぞれ設けられ、
一方の前記腕部側に設けられた一方の前記係止部材は、他方の前記腕部側に設けられた他方の前記係止部材より、前記携帯機器の係止力が強く、
前記突出部材は、前記他方の係止部材から離間し、かつ、前記一方の係止部材に近接する位置に設けられていることを特徴とするスタンド。
【請求項８】
請求項６又は請求項７に記載のスタンドにおいて、
前記係止部材は、前記携帯機器に電力を供給する電源ピン、及び、前記携帯機器から音声信号が入力されるイヤホン端子のいずれかであることを特徴とするスタンド。
【請求項９】
請求項１から請求項８のいずれかに記載のスタンドにおいて、
前記載置部及び前記一対の腕部は、前記筐体が設置される設置面に対して傾斜して形成され、
前記一対の腕部は、正面視略長円状を有する前記携帯機器の前記両側面の形状に応じて略円弧状に湾曲して形成されていることを特徴とするスタンド。
【請求項１０】
請求項１から請求項９のいずれかに記載のスタンドと、当該スタンドにより支持される携帯機器とを備えることを特徴とする電子機器。
【発明の詳細な説明】
【技術分野】
【０００１】
本発明は、携帯機器を支持するスタンドと、当該携帯機器及びスタンドを備える電子機器とに関する。
【背景技術】
【０００２】
従来、携帯機器を支持するスタンドが知られている。このようなスタンドとして、携帯機器としてのデジタルスチルカメラ（以下、「カメラ」と略す場合がある）を装着可能なクレードル（例えば、特許文献１参照）や、携帯型のディスク装置を装着可能なクレードル（例えば、特許文献２参照）が知られている。
【０００３】
特許文献１に記載のクレードルは、カメラへの電力供給及び当該カメラとのデータの入出力を行う接続端子を有するクレードル本体と、当該クレードル本体に取り付けられ、かつ、カメラが載置される載置部とを備えている。このうち、載置部は、横断面視略Ｕ字状を有し、カメラの底面、背面及び両側面を支持する。
また、特許文献２に記載のクレードルは、ディスク装置が載置される載置部と、当該ディスク装置の両側面をそれぞれ覆う横断面視略Ｕ字状の２つの支持部とを備えている。この載置部には、ディスク装置に電力を供給する電源入力端子が設けられている。また、各支持部は、ディスク装置の側面側を覆うとともに、当該ディスク装置の正面側及び背面側を挟持するように構成されている。
【０００４】
【特許文献１】特開２００７−９６８８３号公報
【特許文献２】特開２００７−２１３１２１号公報
【発明の開示】
【発明が解決しようとする課題】
【０００５】
しかしながら、特許文献１に記載のクレードルでは、装着されるカメラの両側面及び背面が支持される構成であるので、当該クレードルへのカメラの脱着は容易であるものの、装着されたカメラが安定しないという問題がある。
一方、特許文献２に記載のクレードルでは、２つの支持部が、クレードルへのディスク装置の装着をガイドするとともに、当該ディスク装置を支持するので、当該ディスク装置のクレードルへの装着を容易に行うことができるほか、安定してディスク装置を支持させることができる。しかしながら、一対の支持部とディスク装置との係合を完全に解消しない限り、ディスク装置が正面側及び背面側に動かないので、ディスク装置をクレードルから取り外すことが煩雑となりやすいという問題がある。
このような問題から、携帯機器の着脱を容易に行うことができ、当該携帯機器を安定して支持することができるスタンドが要望されてきた。
【０００６】
本発明の目的は、携帯機器の着脱容易性及び安定性を向上することができるスタンド及び電子機器を提供することである。
【課題を解決するための手段】
【０００７】
前記した目的を達成するために、本発明のスタンドは、携帯機器を支持するスタンドであって、前記携帯機器の底面が載置される載置部と、前記載置部から前記携帯機器の両側面の外形形状に沿って互いに対向するように起立し、かつ、当該両側面を挟持する一対の腕部とを有する筐体を備え、前記各腕部は、当該腕部から他方の腕部に向かって延出して、前記携帯機器の底面及び前記両側面にそれぞれ交差する第１面及び第２面の一部を挟持する一対の挟持部を備え、前記一対の挟持部のうちの少なくとも一方の挟持部は、前記載置部に近接する方向に向かうに従って、延出量が大きくなり、前記筐体は、当該筐体から突出して、前記載置部に載置された前記携帯機器を押し上げる突出部材と、前記突出部材を突出させる操作部材とを備えることを特徴とする。
【０００８】
ここで、携帯機器において、底面及び両側面にそれぞれ交差する第１面及び第２面は、当該携帯機器の正面及び背面とすることができる。
本発明によれば、スタンドの載置部に携帯機器を載置する際には、当該載置部から起立する一対の腕部により、携帯機器の両側面が挟持されるとともに、当該各腕部が備える一対の挟持部により、携帯機器の底面及び両側面にそれぞれ交差する第１面及び第２面の一部が挟持される。これによれば、携帯機器の底面が載置部により支持され、かつ、当該携帯機器の第１面、第２面及び両側面が一対の腕部により挟持されるので、携帯機器を安定して支持することができる。また、この際、各腕部の一対の挟持部は、携帯機器の第１面及び第２面の一部を挟持するので、当該第１面及び第２面の全てが腕部によって覆われることはない。このため、当該第１面及び第２面に、画像を表示する表示部や、開閉する蓋部材等がある場合でも、当該表示部に表示された画像の観察、及び、蓋部材の開閉を行うことができる。
【０００９】
また、一対の挟持部のうち少なくともいずれか一方は、載置部に向かうに従って、各腕部からの延出量が大きくなる。これによれば、当該各挟持部による挟持力は、載置部に携帯機器を離間させるに従って小さくなるので、携帯機器の第１面及び第２面のうちの一方側に動かしやすくすることができる。従って、携帯機器をスタンドから取り外す場合に、携帯機器を載置部から離間させつつ、当該携帯機器を第１面側又は第２面側に傾けるようにすることにより、当該携帯機器のスタンドからの取り出しを容易に行うことができる。
【００１０】
本発明では、前記筐体は、当該筐体から突出して、前記載置部に載置された前記携帯機器を押し上げる突出部材と、前記突出部材を突出させる操作部材とを備える。
本発明によれば、操作部材を操作することにより、突出部材が筐体から突出して携帯機器を押し上げるので、載置部及び一対の腕部により支持された携帯機器を、スタンドから容易に取り外すことができる。従って、スタンドからの携帯機器の取り外し容易性を向上することができる。
【００１１】
また、本発明のスタンドは、携帯機器を支持するスタンドであって、前記携帯機器の底面が載置される載置部と、前記載置部から前記携帯機器の両側面の外形形状に沿って互いに対向するように起立し、かつ、当該両側面を挟持する一対の腕部とを有する筐体を備え、前記各腕部は、当該腕部から他方の腕部に向かって延出して、前記携帯機器の底面及び前記両側面にそれぞれ交差する第１面及び第２面の一部を挟持する一対の挟持部を備え、前記一対の挟持部のうちの少なくとも一方の挟持部は、前記載置部に近接する方向に向かうに従って、延出量が大きくなり、前記筐体は、当該筐体の２面に跨るように内側に凹む凹部を有し、前記凹部を形成し、かつ、互いに対向する一対の側部には、所定のケーブルが接続される端子がそれぞれ設けられていることを特徴とする。
【００１２】
ここで、携帯機器において、底面及び両側面にそれぞれ交差する第１面及び第２面は、当該携帯機器の正面及び背面とすることができる。
本発明によれば、スタンドの載置部に携帯機器を載置する際には、当該載置部から起立する一対の腕部により、携帯機器の両側面が挟持されるとともに、当該各腕部が備える一対の挟持部により、携帯機器の底面及び両側面にそれぞれ交差する第１面及び第２面の一部が挟持される。これによれば、携帯機器の底面が載置部により支持され、かつ、当該携帯機器の第１面、第２面及び両側面が一対の腕部により挟持されるので、携帯機器を安定して支持することができる。また、この際、各腕部の一対の挟持部は、携帯機器の第１面及び第２面の一部を挟持するので、当該第１面及び第２面の全てが腕部によって覆われることはない。このため、当該第１面及び第２面に、画像を表示する表示部や、開閉する蓋部材等がある場合でも、当該表示部に表示された画像の観察、及び、蓋部材の開閉を行うことができる。
また、一対の挟持部のうち少なくともいずれか一方は、載置部に向かうに従って、各腕部からの延出量が大きくなる。これによれば、当該各挟持部による挟持力は、載置部に携帯機器を離間させるに従って小さくなるので、携帯機器の第１面及び第２面のうちの一方側に動かしやすくすることができる。従って、携帯機器をスタンドから取り外す場合に、携帯機器を載置部から離間させつつ、当該携帯機器を第１面側又は第２面側に傾けるようにすることにより、当該携帯機器のスタンドからの取り出しを容易に行うことができる。
【００１３】
本発明では、前記筐体は、当該筐体の２面に跨るように内側に凹む凹部を有し、前記凹部を形成し、かつ、互いに対向する一対の側部には、所定のケーブルが接続される端子がそれぞれ設けられている。
ここで、所定のケーブルとしては、スタンドに電力を供給するための電源ケーブルや、当該スタンドと通信するための通信ケーブルを挙げることができる。また、これらケーブルの端部に、当該ケーブルに対して略直交するように延出するプラグが設けられていることが好ましい。
本発明によれば、凹部を形成する一対の側部に設けられた各端子へのケーブルの接続方向と、当該ケーブルのスタンドからの延出方向は、それぞれ略直交することとなる。これによれば、端子からのケーブルの抜けを抑えることができる。
特に、各ケーブルの端部に前述のプラグが設けられている場合には、当該プラグを凹部内に収納することができるので、プラグ全体がスタンドの外側に露出することを防ぐことができ、スタンドからプラグが抜けることを防止することができる。また、このような場合には、端子へのプラグの挿入方向とスタンドからのケーブルの延出方向とが確実に略直交するので、スタンドからのケーブルの抜けを一層防止することができる。更に、各ケーブルは、互いに対向する一対の側部に設けられた端子に接続されるので、各ケーブルが互いに干渉することを防止することができる。
【００１４】
本発明では、前記筐体は、当該筐体から突出して、前記載置部に載置された前記携帯機器を押し上げる突出部材と、前記突出部材を突出させる操作部材とを備えることが好ましい。
本発明によれば、操作部材を操作することにより、突出部材が筐体から突出して携帯機器を押し上げるので、載置部及び一対の腕部により支持された携帯機器を、スタンドから容易に取り外すことができる。従って、スタンドからの携帯機器の取り外し容易性を向上することができる。
【００１５】
本発明では、前記筐体は、当該筐体における前記携帯機器の前記底面に対向する第１の面と、当該第１の面に交差する第２の面とに跨って形成された開口を有し、前記操作部材は、前記突出部材に当接する当接部を有し、かつ、回動動作に応じて前記突出部材を前記筐体から突出させるレバー部材と、前記レバー部材を回動自在に支持する支持部材とを備え、前記レバー部材は、前記開口内にて前記第１の面に沿うように配置され、かつ、当該レバー部材を回動させる操作部と、前記開口内にて前記第２の面に沿うように配置されるとともに、当該レバー部材に回動自在に支持され、前記操作部とともに前記開口を閉塞する板状体とを備え、前記支持部材は、前記設置面及び前記第２の面に傾斜し、かつ、前記レバー部材の回動に伴って、前記板状体を前記筐体内にガイドするガイド部を備えることが好ましい。
【００１６】
本発明によれば、操作部の押し下げ動作に連動して、レバー部材が回動し、突出部材を筐体から押し上げるので、スタンドからの携帯機器の取り出しを一層容易に行うことができる。
ここで、操作部が押し下げられていない場合、当該操作部とともに板状体が、筐体の開口を閉塞するが、当該操作部が押し下げられた場合には、当該板状体は、レバー部材に対して回動するとともに支持部材のガイド部に沿って筐体内に収納される。これによれば、レバー部材の回動動作を遮ることなく筐体の内部を隠すことができる。従って、スタンドの外観を良好にすることができる。
【００１７】
本発明では、前記当接部は、前記突出部材に対向する方向に膨出するように、略円弧状に形成されていることが好ましい。
本発明によれば、突出部材に当接する当接部が、略円弧状に形成されていることにより、当該レバー部材の回動に伴って、当接部上を突出部材が滑りながら押し上げられることとなる。これによれば、突出部材を円滑に押し上げることができるとともに、突出部材が携帯機器を押し上げる位置まで、当該突出部材を確実に押し上げ続けることができる。従って、突出部材を確実に突出させることができる。
【００１８】
本発明では、前記載置部には、当該載置部への前記携帯機器の載置方向に対向する方向に突出し、前記携帯機器に挿入されて当該携帯機器を係止するピン状の係止部材が設けられていることが好ましい。
本発明によれば、係止部材が、載置部に載置された携帯機器を係止するので、当該携帯機器を一層安定して支持することができる。また、この際、係止部材は、載置部への携帯機器の載置に伴って当該携帯機器に挿入されるので、係止部材による携帯機器の係止を容易に行うことができる。
【００１９】
本発明では、前記係止部材は、前記各腕部近傍に、それぞれ設けられ、一方の前記腕部側に設けられた一方の前記係止部材は、他方の前記腕部側に設けられた他方の前記係止部材より、前記携帯機器の係止力が強く、前記突出部材は、前記他方の係止部材から離間し、かつ、前記一方の係止部材に近接する位置に設けられていることが好ましい。
ここで、突出部材が、一方の係止部材に比べて係止力の弱い他方の係止部材側に位置している場合、当該突出部材の突出により他方の係止部材を携帯機器から引き抜く際に、一方の係止部材の係止力により携帯機器が傾斜してしまう。このような場合、当該携帯機器の押し上げ時の抵抗が更に大きくなってしまい、当該携帯機器の押し上げが適切に行われなくなってしまう。
これに対し、本発明では、突出部材が、係止力の強い一方の係止部材側に近接するように配置されていることにより、携帯機器からの当該一方の係止部材の引き抜きを容易に行うことができる。また、これにより、突出部材の押し上げ時の携帯機器の傾斜を抑制することができるので、当該携帯機器の押し上げを確実に行うことができる。従って、スタンドからの携帯機器の取り外しを容易に行うことができる。
【００２０】
本発明では、前記係止部材は、前記携帯機器に電力を供給する電源ピン、及び、前記携帯機器から音声信号が入力されるイヤホン端子のいずれかであることが好ましい。
本発明によれば、係止部材が電源ピン又はイヤホン端子で構成されていることにより、スタンドを携帯機器のクレードルとして利用することができる。また、これら電源ピン及びイヤホン端子を係止部材として利用することにより、係止部材をスタンドに新たに設ける必要がない。従って、クレードルとして利用されるスタンドの部品点数の増加を防ぐことができる。
【００２１】
本発明では、前記載置部及び前記一対の腕部は、前記筐体が設置される設置面に対して傾斜して形成され、前記一対の腕部は、正面視略長円状を有する前記携帯機器の前記両側面の形状に応じて略円弧状に湾曲して形成されていることが好ましい。
本発明によれば、載置部及び一対の腕部は、設置面に対して傾斜して形成されている。これによれば、携帯機器の鉛直方向の荷重は、載置部と、各腕部における傾斜方向側の挟持部により、分散して支持されることとなる。従って、携帯機器を一層安定して支持することができる。
また、一対の腕部が、携帯機器の両側面の形状に応じて略円弧状に形成されていることにより、各腕部が当該両側面に沿って当接するので、携帯機器を一層確実に挟持することができるほか、スタンドのデザイン性を向上することができる。
【００２２】
また、本発明の電子機器は、前述のスタンドと、当該スタンドにより支持される携帯機器とを備えることを特徴とする。
本発明によれば、前述のスタンドと同様の効果を奏することができる。
【発明を実施するための最良の形態】
【００２３】
以下、本発明の一実施形態を図面に基づいて説明する。
図１〜図３は、本実施形態に係る電子機器１０を構成するクレードル１と、当該クレードル１に装着される携帯端末９とを正面側から見た斜視図である。具体的に、図１は、クレードル１に携帯端末９が装着される状態を示す斜視図であり、図２は、クレードル１に携帯端末９が装着された状態を示す斜視図であり、また、図３は、クレードル１から携帯端末９が取り外される状態を示す斜視図である。
本実施形態に係る電子機器１０は、図１に示すように、本発明のスタンドに相当するクレードル１と、本発明の携帯機器に相当する携帯端末９とを備える。このうち、クレードル１は、後述する一対の腕部５にガイドされた携帯端末９を、図２に示すように支持する。この図２に示される状態で、クレードル１は、携帯端末９に電力を供給するとともに、当該携帯端末９と通信接続する。この状態から、クレードル１に設けられた操作バー６３が押し下げられると、図３に示すように、突出部材６６が突出し、一対の腕部５により挟持された携帯端末９が押し上げられ、クレードル１からの携帯端末９の取り出しが容易となる。
【００２４】
〔携帯端末の構成〕
ここで、先に携帯端末９について説明する。
携帯端末９は、本実施形態では、内部に収納された光ディスク及び半導体メモリカードからプログラムを読み出して実行するゲーム機として構成されている。この携帯端末９は、当該プログラムの他、動画や静止画に係る画像情報及び音声情報を処理可能に構成されている。この携帯端末９は、図１〜図３に示すように、扁平横長の正面視略長円形状で、左右両端部が略円弧状に形成された筐体９１を備えている。
この筐体９１の正面９１１の略中央には、前述の画像情報に係る画像を表示する液晶パネル９２が露出している。また、当該筐体９１における液晶パネル９２の左側、右側及び下側、並びに、筐体９１における上面９１２の左右両端には、詳しい図示を省略したが、携帯端末９を操作するための各種キーが配設されている。
【００２５】
図４は、携帯端末９を下方背面側から見た斜視図である。
筐体９１の背面９１３における略中央には、図４に示すように、当該筐体９１に形成された光ディスク収納用開口（図示省略）を閉塞する蓋部材９３が設けられている。この蓋部材９３は、筐体９１の底面９１４側が回動自在に支持され、当該蓋部材９３の上面９１２側の端部が、筐体９１に対して近接及び離間することにより、ディスク収納用開口を閉塞及び開放する。
また、背面９１３における左側（図４における右側）の端部には、半導体メモリカードを挿入するための開口（図示省略）が形成され、当該開口は、蓋部材９４により閉塞される。
【００２６】
また、底面９１４における右側（図４における左側）の端部には、携帯端末９に電力を供給する電源ピン２８（図５〜図７）と接続される電源端子９５が設けられている。更に、底面９１４における左側の端部には、図示を省略したが、音声信号を出力するイヤホンジャックと、画像信号の出力及び操作信号の入力を行う接続端子とが設けられている。これらイヤホンジャック及び接続端子は、それぞれ、後述するクレードル１のイヤホン端子２９及び通信接続端子３０（図５〜図７）に接続される。
【００２７】
筐体９１の両側面９１５，９１６（各面９１１〜９１４にそれぞれ交差する面）のうち、右側の側面９１５には、当該側面９１５に沿ってスライドすることで、携帯端末９の電源をオン／オフする電源スイッチ９６が設けられている。
また、左側の側面９１６には、図示を省略するが、当該側面９１６に沿ってスライドすることで、他の機器との無線ＬＡＮ（Local Area Network）による無線通信をオン／オフする切替スイッチが設けられている。
【００２８】
〔クレードルの構成〕
図５〜図７は、クレードル１を示す斜視図である。具体的に、図５及び図６は、クレードル１を正面側及び背面側から見た斜視図であり、図７は、クレードル１を腕部５の起立方向に対向する方向から見た斜視図である。また、図８は、クレードル１を下方から見た斜視図である。
クレードル１は、図５〜図８に示すように、クレードル１を制御する制御基板（図示省略）や、後述する突出機構６等を内部に収納する筐体２を備えている。この筐体２は、正面２１１（本発明の第１の面）、上面２１２（本発明の第２の面）、左右の両側面２１３，２１４、背面２１５及び底面２１６を備えた略直方体形状する合成樹脂性の筐体である。
【００２９】
筐体２の正面２１１側略中央には、当該正面２１１及び上面２１２に跨る開口２１が形成されている。この開口２１は、後述する突出機構６を構成する操作バー６３及びスライダ６５により閉塞される。
また、正面２１１における開口２１の左側（図５における左側）には、図５に示すように、リモコン（図示省略）からの赤外線信号を受光する受光窓２２が設けられている。この赤外線信号は、受光窓２２の内側に設けられた赤外線受光モジュール（図示省略）によりデジタル信号に変換され、前述の制御基板に出力される。
【００３０】
更に、正面２１１における開口２１の右側（図５における右側）には、クレードル１に装着された携帯端末９による画像信号の出力状態を示す２つのＬＥＤ２３が設けられている。これらのうち、一方のＬＥＤ２３の点灯は、携帯端末９が自己の液晶パネル９２に画像を表示している状態を示し、他方のＬＥＤ２３の点灯は、携帯端末９がクレードル１に画像信号を出力している状態を示す。
【００３１】
上面２１２における開口２１の右側には、前述の２つの画像出力状態を切り替える切替キー２４が配置されている。この切替キー２４が入力された場合には、前述の制御基板が、後述する通信接続端子３０を介して携帯端末９に操作信号を出力し、携帯端末９による前述の画像出力状態を順次切り替えるとともに、当該画像出力状態に応じて、ＬＥＤ２３の点灯状態を切り替える。
【００３２】
上面２１２における奥行き方向の略中央には、当該筐体２の長手方向（左右方向）に沿って、携帯端末９が載置される載置部２５が形成されている。
この載置部２５は、携帯端末９の底面９１４を支持する部位であり、一部が、当該底面９１４の寸法に応じて筐体２の長手方向における外側（それぞれ側面２１３，２１４の外側）に延出している。この載置部２５は、筐体２の背面２１５側に向かうに従って上面２１２から下方（底面２１６側）に向かって傾斜するように形成されており、当該載置部２５に携帯端末９の底面９１４が載置された際には、当該携帯端末９の正面９１１が僅かに上方を向く。なお、本実施形態では、載置部２５と、設置面に略平行な上面２１２及び底面２１６とのなす角は、略１５５°に設定されている。
【００３３】
この載置部２５の背面２１５側には、当該載置部２５の下端から上面２１２側に向かって傾斜し、携帯端末９の背面９１３における底面９１４側の一部を支持する支持部２６が形成されている。また、この支持部２６における左右方向の略中央には、当該支持部２６より緩やかな傾斜を有し、かつ、筐体２の内側に向かって凹んだ凹部２７が形成されている。この凹部２７は、クレードル１に携帯端末９を装着した状態で、前述の蓋部材９３を開放するためのスペースを確保する。
また、載置部２５における左右の両端部には、当該載置部２５における面外方向（載置部２５に直交する方向）に起立する一対の腕部５が、筐体２と一体的に形成されている。なお、この一対の腕部５については、後に詳述する。
【００３４】
載置部２５における右側（図５における右側で、図６及び図７における左側）の端部近傍には、携帯端末９の電源端子９５（図４）に挿入及び接続される電源ピン２８が設けられている。この電源ピン２８は、載置部２５における側面２１３より外側の領域に設けられている。
載置部２５における左側（図５における左側で、図６及び図７における右側）の端部近傍には、携帯端末９のイヤホンジャック及び接続端子にそれぞれ挿入及び接続されるイヤホン端子２９及び通信接続端子３０が設けられている。これらイヤホン端子２９及び通信接続端子３０は、載置部２５における側面２１４のより内側の領域に設けられている。そして、これら電源ピン２８及びイヤホン端子２９は、クレードル１に装着された携帯端末９を係止する本発明の係止部材としても機能する。
【００３５】
ここで、各端子２８〜３０は、通信接続端子３０、電源ピン２８、イヤホン端子２９の順で、載置部２５からの起立寸法が大きくなり、当該イヤホン端子２９が、携帯端末９に最も深く挿入される。更に、当該イヤホン端子２９は、電源ピン２８及び通信接続端子３０に比べて、携帯端末９に対する挿入抵抗及び抜き抵抗が大きく、携帯端末９の係止力が最も大きい。
【００３６】
また、載置部２５には、後述する突出機構６を構成する突出部材６６が当該載置部２５から突没するための略矩形の開口３１が形成されている。この開口３１は、載置部２５における中央から左側、すなわち、イヤホン端子２９に近接する側の位置に形成されている。この開口３１の内側には、詳しい図示を省略するが、当該突出部材６６の突没を案内するガイドが形成されており、当該ガイドは、載置部２５から突出機構６の後述するレバー部材６２に向かって延出するように形成されている。このため、当該ガイドは、設置面に対して略平行な上面２１２及び底面２１６に対して傾斜するように形成されている。なお、突出機構６については、後に詳述する。
【００３７】
筐体２の背面側には、図６〜図８に示すように、当該筐体２の背面２１５及び底面２１６に跨る凹部３２が形成されている。この凹部３２は、背面２１５及び底面２１６のそれぞれに直交する方向に沿う一対の側部３３を有し、当該一対の側部３３のうち、右側（図６における左側であり、図８における右側）の側部３３Ｒには、外部から商用交流電流が入力する電源ケーブル８１に設けられ、かつ、前述の電源ピン２８と同様の端子であるプラグ８１２１が接続される接続端子３４が設けられている。また、左側（図６における右側であり、図８における左側）の側部３３Ｌには、通信ケーブル８２に設けられ、かつ、前述のイヤホン端子２９及び通信接続端子３０と同様の端子であるプラグ８２２１，８２２２が接続されるイヤホンジャック３５及び接続端子３６が設けられている。このような通信ケーブル８２は、テレビジョン受像機等の画像表示装置（図示省略）と接続される。そして、前述の切替キー２４が入力されて携帯端末９の画像出力状態が切り替えられると、当該通信ケーブル８２を介して、画像信号及び音声信号が画像表示装置に出力され、当該画像信号及び音声信号に応じた画像表示及び音声出力が、当該画像表示装置により行われる。
【００３８】
ここで、電源ケーブル８１及び通信ケーブル８２は、各ケーブル８１１，８２１に対して直交するように延出した前述のプラグ８１２１，８２２１，８２２２を有する接続部８１２，８２２を備えている。このため、これら各ケーブル８１，８２は、凹部３２内では、図８に示すように、各側部３３Ｒ，３３Ｌに沿って延出するように配置される。これにより、当該各ケーブル８１，８２をクレードル１に接続しやすくすることができるほか、各ケーブル８１，８２同士が凹部３２内で干渉することを防ぐことができる。
また、図８に示すように、底面２１６における正面２１１側及び略中央には、ゴム製の脚部３７が設けられている。
【００３９】
〔腕部の構成〕
一対の腕部５は、図５〜図８に示すように、載置部２５の左右両端から外側にせり出すように起立して形成されている。これら一対の腕部５（クレードル１を正面側から見た際に、左側の腕部を５Ｌとし、右側の腕部を５Ｒとする）は、各腕部５Ｒ，５Ｌの起立方向が、載置部２５の載置面（携帯端末９の底面９１４を支持する面）に対する直交方向に沿うように形成され、これにより各腕部５Ｌ，５Ｒは、わずかに背面２１５側に傾斜するように形成されている。また、各腕部５Ｌ，５Ｒは、載置部２５における側面２１３，２１４からの突出部分と合わせて、携帯端末９の左右両側面９１５，９１６の略円弧状形状に応じて略円弧状に形成されており、当該各側面９１５，９１６の略下半分を覆いつつ、当該各側面９１５，９１６に当接して、携帯端末９を左右方向にて挟持する。なお、本実施形態では、各腕部５Ｌ，５Ｒは、携帯端末９を見やすくするために無色透明の樹脂により形成されている。
【００４０】
これら腕部５は、当該腕部５の正面２１１側及び背面２１５側の端部から、他方の腕部５に対向する方向にそれぞれ延出し、かつ、携帯端末９の正面９１１及び背面９１３を挟持する一対の挟持部５１，５２を有している。これら一対の挟持部５１，５２は、載置部２５に向かうに従って延出量が大きくなるようにそれぞれ形成されている。このため、携帯端末９をクレードル１に装着する際に、当該携帯端末９の底面９１４を載置部２５に近接させるに従って、当該一対の腕部５により、当該携帯端末９の正面９１１側及び背面９１３側への揺動が規制され、一対の腕部５による携帯端末９の保持力が強くなる。
【００４１】
これらのうち、腕部５Ｒにおける携帯端末９の側面９１５に当接する領域の下方側には、当該腕部５の起立方向に長手方向を有する長孔５３が形成されている。これら長孔５３は、載置部２５に載置され、かつ、一対の腕部５により挟持された携帯端末９の電源スイッチ９６（図４参照）を露出させるための長孔である。これにより、クレードル１に携帯端末９を装着した状態でも、当該携帯端末９の操作が遮られることが防止される。
【００４２】
〔突出機構の構成〕
図９〜図１２は、突出機構６を示す図である。具体的に、図９及び図１０は、操作バー６３が押し下げられる前の状態の突出機構６を示す斜視図及び側面図であり、図１１及び図１２は、操作バー６３が押し下げられた状態の突出機構６を示す斜視図及び側面図である。なお、図９及び図１１では、突出部材６６の図示を省略している。また、図１０及び図１２では、レバー部材６２を中心に記載しており、突出機構６の各構成を簡略化して記載している。
【００４３】
突出機構６は、クレードル１に装着された携帯端末９を押し上げて、当該携帯端末９のクレードル１からの取り出しを容易にするためのものであり、開口２１に応じた筐体２内に設けられている。このような突出機構６は、図９〜図１２に示すように、支持部材６１と、レバー部材６２と、操作バー６３と、ばね６４と、スライダ６５と、突出部材６６（図１０，１２）と、軸部材６７，６８（図１０，図１２）とを備えている。
なお、以下の説明において、各部材６１〜６８の正面側とは、筐体２内に収納された突出機構６における正面２１１に近接する側をいい、背面側とは、背面２１５に近接する側をいい、底面側とは、底面２１６に近接する側をいう。
【００４４】
〔支持部材の構成〕
支持部材６１は、縦断面視略Ｕ字状に形成されており、側面２１３，２１４に沿って配置される一対の側部６１１（側面２１３側の側部を６１１Ｒとし、側面２１４側の側部を６１１Ｌとする）と、当該一対の側部６１１の底面側の端部間を接続し、かつ、底面２１６に沿って配置される接続部（図示省略）とを有している。そして、このような支持部材６１の内側に、後述するレバー部材６２、操作バー６３、ばね６４、スライダ６５、突出部材６６及び軸部６７，６８が位置している。これらのうち、支持部材６１、レバー部材６２、操作バー６３及びスライダ６５は、本発明の操作部材を構成する。
【００４５】
側部６１１Ｌ，６１１Ｒは、それぞれ互いに略鏡面対称構造を有しており、当該各側部６１１の正面側には、他方の側部から離間する方向に延出する延出部６１１１が形成されている。これら延出部６１１１には、支持部材６１を筐体２に固定するためのねじが挿通する孔６１１２が形成されている。
また、各側部６１１の背面側上方には、レバー部材６２の後述する軸部材６７が挿通する孔６１１３が形成されている。
この孔６１１３の正面側には、他方の側部に近接する方向、すなわち、レバー部材６２に近接する方向に屈曲した規制部６１１４が形成されている。この規制部６１１４は、後述するばね６４の付勢力により回動するレバー部材６２の必要以上の回動を規制する。
【００４６】
更に、側部６１１の正面側には、正面側上方から底面側に向かって傾斜したガイド孔６１１５が形成されている。これらガイド孔６１１５には、後述するスライダ６５の挿通部６５３１が挿通し、操作バー６３の押し下げに伴うレバー部材６２の回動に応じて、スライダ６５が当該ガイド孔６１１５に沿って、開口２１の内側で、かつ、底面側に傾斜するようにスライドする。すなわち、ガイド孔６１１５は、本発明のガイド部に相当する。
更に、側部６１１Ｒの背面側には、側部６１１Ｌ側に屈曲し、後述するばね６４を係止する係止部６１１６が形成されている。
【００４７】
〔レバー部材の構成〕
レバー部材６２は、操作バー６３を使用者が押し下げることにより回動して、突出部材６６を押し上げるとともに、スライダ６５を開口２１内にスライドさせる。このレバー部材６２は、側面視略逆Ｔ字状を有し、操作バー６３が押し下げられていない状態では、正面側上端から底面に向かって傾斜するように配置される。このようなレバー部材６２は、側部６１１Ｌ，６１１Ｒにそれぞれ対向する一対の側部６２１と、当該一対の側部６２１の底面側の端部を接続する接続部６２２とを備えている。
【００４８】
一対の側部６２１の上面側は、略円弧状を有しており、当該円弧状部分の略中央には、略円形状の孔６２１１が形成されている。これら孔６２１１には、略円筒状の軸部材６７が貫通される。この軸部材６７は、支持部材６１の孔６１１３を貫通しており、これにより、レバー部材６２は、支持部材６１に回動自在に支持される。
また、一対の側部６２１の正面側には、略円形状の孔６２１２が形成されている。これら各孔６２１２には、後述するスライダ６５の接続部６５２を貫通する略円筒状の軸部材６８が挿通される。
【００４９】
接続部６２２の背面側には、上方、すなわち、後述する突出部材６６に対向する方向に側面視略円弧状に膨出した円弧状の当接部６２２１が形成されている。この当接部６２２１は、レバー部材６２の回動に伴って、当該突出部材６６に当接し、この突出部材６６を、載置部２５から開口３１を介して筐体２外に突出させる。
接続部６２２における正面側には、操作バー６３が取り付けられる取付部６２３が形成されている。
【００５０】
〔操作バーの構成〕
操作バー６３は、本発明の操作部に相当し、平面視略矩形状を有する板状部材として形成されている。この操作バー６３の背面側には、前述の軸部材６７に当接する当接部６３２が形成されている。また、当該操作バー６３の正面側には、上面２１２側の開口２１の端縁に沿う形状に形成され、かつ、当該開口２１を閉塞する操作部６３１が形成されている。この操作部６３１に指を当てて操作バー６３を押し下げることで、レバー部材６２が回動する。
【００５１】
〔ばねの構成〕
ばね６４は、コイル部６４１と、当該コイル部６４１の両端から延出する一対の線状部６４２とを備えた捻りコイルばねで構成され、当該コイル部６４１は、軸部材６７に巻回されている。また、一対の線状部６４２のうち、一方は、側部６１１Ｒに形成された係止部６１１６により係止され、他方は、詳しい図示を省略したが、レバー部材６２により係止されている。このようなばね６４の付勢力により、レバー部材６２の取付部６２３が上面に近接する方向に付勢され、当該レバー部材６２が支持部材６１の規制部６１１４に当接することで、開口２１から露出する操作バー６３の上面と、筐体２の上面２１２とが面一となる。
【００５２】
〔スライダの構成〕
スライダ６５は、本発明の板状体に相当し、正面２１１に沿って開口２１内に配置され、前述のように、操作バー６３とともに当該開口２１を閉塞する。すなわち、スライダ６５は、操作バー６３が押し下げられていない状態では、当該操作バー６３と接続されて略Ｌ字状となり、開口２１を閉塞する。このスライダ６５は、平板状のスライダ本体６５１と、当該スライダ本体６５１の背面側上方及び背面側下方に形成された一対の接続部６５２及び一対の延出部６５３とを備えている。
【００５３】
このうち、一対の接続部６５２は、スライダ本体６５１の上端から上方背面側に向かって傾斜するように延出している。これら一対の接続部６５２には、前述の軸部材６８が挿通する孔部６５２１が形成されており、当該孔部６５２１を、レバー部材６２の孔６２１２を挿通した軸部材６８が貫通することにより、スライダ６５が当該レバー部材６２に回動自在に支持される。
【００５４】
一対の延出部６５３は、左右方向に沿って、スライダ本体６５１の外側に延出する略円筒状の部位であり、当該一対の延出部６５３の延出方向先端には、当該延出部６５３より直径寸法の小さい略円筒状の挿通部６５３１が形成されている。これら挿通部６５３１は、支持部材６１に形成されたガイド孔６１１５に挿通される。
このようなスライダ６５は、操作バー６３の押し下げに伴うレバー部材６２の回動により、ガイド孔６１１５に沿って筐体２内部に収納され、当該レバー部材６２の逆方向への回動により、元の位置（開口２１における正面２１１に沿う位置）に戻る。
【００５５】
〔突出部材の構成〕
突出部材６６は、略直方体形状を有し、前述のように、開口３１を介して筐体２外に突出し、載置部２５に載置された携帯端末９を押し上げて、電源ピン２８、イヤホン端子２９及び通信接続端子３０による携帯端末９の係止を解除する。この突出部材６６は、レバー部材６２に当接される平坦な当接面６６１を有し、当該レバー部材６２の回動に応じて筐体２から突没する。
【００５６】
〔突出機構の動作〕
以下、突出機構６による携帯端末９の押し上げ動作について説明する。
図１３〜図１５は、突出部材６６に応じた位置でのクレードル１の縦断面図である。すなわち、図１３〜図１５は、図１〜図３において示した各状態でのクレードル１の縦断面図である。
クレードル１に携帯端末９を装着する際には、図１及び図１３に示すように、クレードル１の載置部２５と、携帯端末９の底面９１４とを互いに対向させ、かつ、一対の腕部５Ｒ，５Ｌにそれぞれ、携帯端末９の両側面９１５，９１６をそれぞれ対向させる。この状態から、当該各腕部５Ｒ，５Ｌに沿って携帯端末９を下降させると、携帯端末９は、当該各腕部５Ｒ，５Ｌにより案内され、図２及び図１４に示すように、載置部２５上に載置される。
この際、各腕部５Ｒ，５Ｌの挟持部５１，５２は、載置部２５に向かうに従って、当該腕部５Ｒ，５Ｌからの延出量が大きくなるので、携帯端末９を下降させるに従って、当該携帯端末９の正面９１１側及び背面９１３側への揺動が規制される。
【００５７】
このように、載置部２５上に載置された携帯端末９は、当該携帯端末９の側面９１５，９１６の形状に沿った略円弧状の腕部５Ｌ，５Ｒにより、左右方向から挟持されるとともに、各腕部５Ｌ，５Ｒの挟持部５１，５２により、携帯端末９の正面９１１及び背面９１３の一部が奥行き方向から挟持される。
また、携帯端末９の底面９１４に設けられた電源端子９５、イヤホンジャック及び接続端子（図示省略）に、載置部２５に設けられた電源ピン２８、イヤホン端子２９及び通信接続端子３０がそれぞれ挿入されることにより、携帯端末９が載置部２５上に係止される。
【００５８】
図２及び図１４に示した状態から操作バー６３が押し下げられると、図１５に示すように、支持部材６１に保持された軸部材６７を中心として、レバー部材６２の正面側が底面側に向かって回動する。このレバー部材６２の回動に伴って、当該レバー部材６２に軸部材６８を介して係合し、かつ、開口２１における正面２１１側を閉塞していたスライダ６５が、軸部材６８を中心として底面側に向かって回動し、支持部材６１に形成されたガイド孔６１１５に沿って、筐体２内の底面２１６に沿うように収納される。このようなスライダ６５により、操作バー６３が押し下げられていない状態で、開口２１を介して筐体２の内部が正面２１１側から露出することを防ぐことができるとともに、当該スライダ６５がレバー部材６２の回動を妨げることを防ぐことができる。
【００５９】
また、このレバー部材６２の回動により、当該レバー部材６２の背面側に形成された当接部６２２１が上方に向かって押し上げられる。この当接部６２２１は、突出部材６６の下端に形成された当接面６６１に当接し、当該突出部材６６を上方に向かって押し上げる。このように押し上げられた突出部材６６は、開口３１の内部に形成されたガイドによって案内され、当該開口３１を介して筐体２外に突出する。この突出部材６６により、載置部２５上の携帯端末９は上方（載置部２５の面外方向）に向かって押し上げられ、図３に示したように、電源ピン２８、イヤホン端子２９及び通信接続端子３０による携帯端末９の係止が解除される。
【００６０】
この突出部材６６の最大の突出量は、これら電源ピン２８及びイヤホン端子２９が、携帯端末９の電源端子９５及びイヤホンジャックから完全には抜けない程度に設定されている。このため、図３に示したように、突出部材６６が最大限に突出した場合でも、電源ピン２８及びイヤホン端子２９と携帯端末９との係合が解除されないようにすることができ、携帯端末９がクレードル１から脱落することを防ぐことができる。
【００６１】
一方、操作バー６３の押し下げを解除した場合、すなわち、当該操作バー６３から指を離した場合には、ばね６４の付勢力により、レバー部材６２は、当該レバー部材６２と支持部材６１の規制部６１１４とが当接するまで逆方向に回動する。これにより、レバー部材６２は、操作バー６３が押し下げられる前の状態に戻り、操作バー６３及びスライダ６５は、開口２１内で上面２１２及び正面２１１とそれぞれ面一となる位置に配置される。
【００６２】
以上説明した本実施形態の電子機器１０によれば、以下の効果を奏することができる。
（１）クレードル１に携帯端末９を装着する際には、載置部２５の左右両端から起立する一対の腕部５により、当該携帯端末９の両側面９１５，９１６が挟持される。これによれば、当該腕部５が、載置部２５に携帯端末９を載置する際のガイドとなるので、当該携帯端末９をクレードル１に装着しやすくすることができるほか、携帯端末９を安定して支持することができる。
【００６３】
また、これら腕部５に形成された一対の挟持部５１，５２により、携帯端末９の正面９１１及び背面９１３の一部が挟持される。これによれば、載置部２５上に載置された携帯端末９が正面９１１側及び背面９１３側に揺動することを規制することができるとともに、携帯端末９の液晶パネル９２及び蓋部材９３が、挟持部５１，５２によって覆われることを防ぐことができる。従って、液晶パネル９２による画像表示、及び、蓋部材９３の開閉が妨げられることなく、携帯端末９を支持することができる。
【００６４】
更に、各腕部５の一対の挟持部５１，５２は、載置部２５に向かうに従って、各腕部５からの延出量が大きくなるように形成されている。これによれば、当該各挟持部５１，５２による携帯端末９の挟持力は、載置部２５に当該携帯端末９を近接させるに従って強くなり、逆に離間させるに従って弱くなる。このため、携帯端末９を一対の腕部５に沿ってクレードル１に装着させやすくするころができる。
また、クレードル１から携帯端末９を取り外す際には、携帯端末９を正面９１１側又は背面９１３側に傾けつつ、当該携帯端末９を載置部２５から離間させるようにすることで、携帯端末９のクレードル１からの取り出しを容易に行うことができる。
従って、携帯端末９が正面９１１側及び背面９１３側に揺動しない場合に比べ、携帯端末９をクレードル１から容易に取り外すことができる。
【００６５】
（２）載置部２５は、正面２１１側から背面２１５側に向かうに従って底面２１６側に傾斜するように形成され、一対の腕部５は、当該傾斜した載置部２５の面外方向（載置部２５に対して垂直となる方向）に起立して形成されている。これによれば、載置部２５に載置された際の携帯端末９の荷重は、載置部２５と、当該載置部２５の背面２１５側に形成された支持部２６と、腕部５の背面側の挟持部５２により、分散して支持することができる。従って、携帯端末９を一層安定して支持することができる。
また、一対の腕部５Ｌ，５Ｒがそれぞれ携帯端末９の両側面９１５，９１６の形状に応じて略円弧状に形成されていることにより、当該各腕部５の内側の面を、当該両側面９１５，９１６に沿って当接させることができる。従って、当該携帯端末９を一層確実かつ安定して挟持することができるほか、クレードル１のデザイン性を向上することができる。
【００６６】
（３）筐体２内部に、突出機構６が設けられていることにより、当該突出機構６を構成する操作バー６３を押し下げてレバー部材６２を回動させることで、突出部材６６が載置部２５の開口３１から突出して、載置部２５上に載置された携帯端末９を押し上げることができる。これによれば、当該載置部２５及び一対の腕部５により支持された携帯端末９を、クレードル１から容易に取り外すことができる。
【００６７】
（４）突出機構６は、レバー部材６２に取り付けられた操作バー６３とともに開口２１を閉塞するスライダ６５と、当該スライダ６５を筐体２内部にガイドするガイド孔６１１５を有する支持部材６１とを備えている。このスライダ６５は、レバー部材６２と係合し、当該レバー部材６２の回動に伴って、ガイド孔６１１５に沿って筐体２内に収納される。これによれば、レバー部材６２の回動が遮られることなく、開口２１を介して筐体２の内部が露出することを防ぐことができる。従って、クレードル１の外観を良好にすることができる。
【００６８】
（５）レバー部材６２における突出部材６６に当接する当接部６２２１は、当該突出部材６６に対向する方向に膨出するように、円弧状に形成されている。これによれば、レバー部材の回動に伴って、突出部材６６が当接部６２２１上を滑りつつ、当該当接部６２２１により押し上げられることとなる。このため、突出部材６６を円滑に押し上げることができるとともに、当該突出部材６６が、イヤホン端子２９等による係止が解除される位置まで、携帯端末９を確実に押し上げ続けることができる。従って、突出部材６６、ひいては、携帯端末９を確実かつ円滑に押し上げることができる。
【００６９】
（６）載置部２５上に載置された携帯端末９には、電源ピン２８、イヤホン端子２９及び通信接続端子３０が挿入され、当該携帯端末９は、これらによって載置部２５上に係止される。これによれば、携帯端末９を一層安定して支持することができる。また、これら各端子２８〜３０は、載置部２５への携帯端末９の載置に伴って挿入されるので、載置された携帯端末９に対して係止動作を行う場合に比べ、当該携帯端末９の係止を容易に行うことができる。
【００７０】
（７）突出部材６６、及び、当該突出部材６６が突没する開口３１は、載置部２５において、係止力の弱い電源ピン２８から離間し、かつ、係止力の強いイヤホン端子２９に近接するように設けられている。これによれば、携帯端末９からの各端子２８〜３０の引き抜きに際して、当該携帯端末９が傾斜することなく、適切に各端子２８〜３０を携帯端末９から引き抜くことができる。従って、クレードル１からの携帯端末９の取り外しを一層容易に行うことができる。
【００７１】
（８）載置部２５上に載置された携帯端末９を係止する係止部材が、電源ピン２８及びイヤホン端子２９であるので、当該係止部材をクレードル１に別途設ける必要がない。従って、クレードル１の部品点数の増加を防ぐことができる。
【００７２】
（９）電源ケーブル８１及び通信ケーブル８２は、凹部３２内の互いに対向する側部３３（３３Ｒ，３３Ｌ）にそれぞれ設けられた各接続端子３４，３５に接続されるので、各ケーブル８１，８２が、互いに干渉することを防止することができる。
また、各８１，８２のプラグ８１２１，８２２１の挿入方向と、ケーブル８１１，８２１の凹部３２からの延出方向とは略直交することとなるので、端子３４，３５からの各ケーブル８１，８２の抜けを抑えることができる。
更に、凹部３２内に各ケーブル８１，８２の接続部８１２，８２２が収納されるので、当該接続部８１２，８２２がクレードル１から露出することを防ぐことができ、当該ケーブル８１，８２のクレードル１からの抜けを確実に防止することができる。
【００７３】
〔実施形態の変形〕
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
例えば、前記実施形態では、本発明のスタンドをクレードル１として構成したが、本発明はこれに限らず、装着される携帯機器に対して電力を供給する電力供給装置及び充電器として構成してもよく、当該携帯機器と通信する通信装置、及び、電力の供給等を行わないスタンドとして構成してもよい。
また、前記実施形態では、携帯機器として、ゲーム機である携帯端末９を挙げたが、本発明はこれに限らない。すなわち、本発明のスタンドに載置される携帯機器は、携帯電話、ＰＤＡ（Personal Digital Assistant）及びノート型ＰＣ（Personal Computer）等の携帯型情報端末であってもよく、また、カメラ及びディスク装置等の携帯機器であってもよい。
【００７４】
前記実施形態では、各腕部５に形成された一対の挟持部５１，５２は、それぞれ載置部２５に向かうに従って腕部５からの延出量が大きくなるとしたが、本発明はこれに限らない。すなわち、一対の挟持部のうち、少なくとも一方の延出量が、載置部２５に向かうに従って大きくなるように形成されていればよい。
前記実施形態では、載置部２５及び各腕部５は、設置面に対して傾斜して形成されているとしたが、本発明はこれに限らない。例えば、載置部は、設置面に対して略平行であってもよく、腕部は、設置面に対して直交するように起立していてもよい。
前記実施形態では、各腕部５は、携帯端末９の両側面９１５，９１６の形状に応じて略円弧状に形成されるとしたが、本発明はこれに限らず、携帯機器の側面の少なくとも一部を覆う形状であれば、適宜設定してよい。
【００７５】
前記実施形態では、レバー部材６２は、別体である操作バー６３が取り付けられた構成を有していたが、本発明はこれに限らない。すなわち、操作バー６３と同様の構成を、操作部として一体的に設けたレバー部材としてもよい。
【００７６】
前記実施形態では、係止部材として、電源ピン２８及びイヤホン端子２９を採用したが、本発明はこれに限らない。すなわち、載置部上に載置された携帯機器を係止することが可能であれば、他の形状及び構成の係止部材を採用してもよい。
前記実施形態では、それぞれ係止力の異なる電源ピン２８及びイヤホン端子２９を、係止部材として採用したが、本発明はこれに限らず、それぞれが同じ係止力となる端子を、係止部材として採用してもよい。
【００７７】
前記実施形態では、凹部３２内の接続端子３４，３５に接続される電源ケーブル８１及び通信ケーブル８２は、それぞれケーブル８１１，８２１の延出方向に対して略直交するプラグ８１２１，８２２１を有する接続部８１２，８２２を備えるとしたが、本発明はこれに限らない。すなわち、ケーブルの延出方向に沿うプラグを有する電源ケーブル等を用いてもよい。
【産業上の利用可能性】
【００７８】
本発明は、携帯機器を支持するスタンドに利用でき、特に当該携帯機器に対する電力供給等を行うクレードルに好適に利用することができる。
【図面の簡単な説明】
【００７９】
【図１】本発明の一実施形態に係るクレードル及び携帯端末を示す斜視図。
【図２】前記実施形態におけるクレードル及び携帯端末を示す斜視図。
【図３】前記実施形態におけるクレードル及び携帯端末を示す斜視図。
【図４】前記実施形態における携帯端末を下方背面側から見た斜視図。
【図５】前記実施形態におけるクレードルを正面側から見た斜視図。
【図６】前記実施形態におけるクレードルを背面側から見た斜視図。
【図７】前記実施形態におけるクレードルを上方から見た斜視図。
【図８】前記実施形態におけるクレードルを下方から見た斜視図。
【図９】前記実施形態における突出機構を示す斜視図。
【図１０】前記実施形態における突出機構を示す側面図。
【図１１】前記実施形態における突出機構を示す斜視図。
【図１２】前記実施形態における突出機構を示す側面図。
【図１３】前記実施形態におけるクレードルを示す縦断面図。
【図１４】前記実施形態におけるクレードルを示す縦断面図。
【図１５】前記実施形態におけるクレードルを示す縦断面図。
【符号の説明】
【００８０】
１…クレードル（スタンド）、２…筐体、５…腕部、９…携帯端末（携帯機器）、１０…電子機器、２１…開口、２５…載置部、２８…電源ピン（他方の係止部材）、２９…イヤホン端子（一方の係止部材）、３２…凹部、３３（３３Ｒ，３３Ｌ）…側部（一対の側部）、５１，５２…挟持部、６１…支持部材（操作部材）、６２…レバー部材（操作部材）、６３…操作バー（操作部、操作部材）、６５…スライダ（板状体、操作部材）、６６…突出部材、２１１…正面（第１の面）、２１２…上面（第２の面）、９１１…正面（携帯機器の第１面）、９１３…背面（携帯機器の第２面）、９１４…底面（携帯機器の底面）、９１５，９１６…側面（携帯機器の側面）、６１１５…ガイド孔（ガイド部）、６２２１…当接部。
【図１】
0005060990.tif 000002
【図２】
0005060990.tif 000003
【図３】
0005060990.tif 000004
【図４】
0005060990.tif 000005
【図５】
0005060990.tif 000006
【図６】
0005060990.tif 000007
【図７】
0005060990.tif 000008
【図８】
0005060990.tif 000009
【図９】
0005060990.tif 000010
【図１０】
0005060990.tif 000011
【図１１】
0005060990.tif 000012
【図１２】
0005060990.tif 000013
【図１３】
0005060990.tif 000014
【図１４】
0005060990.tif 000015
【図１５】
0005060990.tif 000016